(57)【特許請求の範囲】
【請求項１】
遊技盤が装着される内枠の前面側に前枠がヒンジ部を介して開閉可能に設けられ、その前枠の後面側に該前枠の電気部品の配線接続を中継する中継基板が配置された遊技機において、
前記前枠の後面側には、前記中継基板に隣接して配置され前記電気部品の配線を該後面に沿って配置可能な配線通し部に、前記中継基板に対峙して開口する配線開口部を形成した第１の配線カバーと、前記中継基板を覆うように配置され前記第１の配線カバーに保持されて回動可能な第２の配線カバーとが設けられ、
前記第２の配線カバーは、前記中継基板に対して前記前枠の電子部品からの配線接続領域を覆うとともに、貫通又は切欠形成された露出部によって前記内枠側からの配線接続領域を露出して当該中継基板を覆う位置で固定されていることを特徴とする遊技機。
【請求項２】
前記第２の配線カバーは、前記第１の配線カバーの配線開口部と接続する配線開口部を備え、その配線開口部が形成された端部で前記第１の配線カバーに軸支されている請求項１に記載の遊技機。
【請求項３】
前記中継基板は、前記電気部品からの配線接続領域が前記第２の配線カバーの軸支側に配置される一方、前記内枠側からの配線接続領域が前記第２の配線カバーの開放側に配置されている請求項１又は２に記載の遊技機。
【請求項４】
前記中継基板は、前記前枠の後面に窪んで形成された基板収容部内に配置され、
前記第２の配線カバーは、前記露出部が前記基板収容部内に臨む膨出部の前面側に形成されるとともに、その膨出部が基板支持部として形成されている請求項１ないし３のいずれか１項に記載の遊技機。
【発明の詳細な説明】
【技術分野】
【０００１】
本発明は、遊技機に関する。
【背景技術】
【０００２】
従来より、パチンコ機などの遊技機は、外形をなす額縁状の外枠と、その外枠に対して開閉可能に組み付けられる内枠と、その内枠の前面側で開閉可能に組み付けられる前枠とを備えている。内枠には、遊技盤が装着されており、前枠には、遊技盤上に形成された遊技領域を視認可能とする窓部が形成されている。そして、近年の遊技機では、興趣を高めるために様々な装飾が施され、また高機能化が進んでおり、上記前枠においても、装飾や演出部として発光源、スピーカー、演出ボタン、演出装置の駆動源やセンサなど多くの電気部品が搭載され、それら電気部品は、内枠側に設けられる制御基板（主制御基板，払出制御基板，発射制御基板，演出制御基板など）と配線接続がなされている。通常、前枠側と内枠側との配線接続は、前枠が内枠に対して相対的に回転（開閉）することから、前枠又は内枠の少なくともどちらか一方の軸支側近傍に中継基板を配置して行われる（例えば、特許文献１参照。）。
【先行技術文献】
【特許文献】
【０００３】
【特許文献１】特許第４２４８７３５号公報
【発明の概要】
【発明が解決しようとする課題】
【０００４】
特許文献１は、中継基板の前枠（内枠）への取り付けを容易にするための構造が記載されており、具体的には、前枠（内枠）の裏面に基板ベースが固定され、その基板ベースに中継基板が取り付けられた基板カバーが回転可能に固定されたものである。基板カバーが基板ベースに回転可能に固定されているため、中継基板を基板カバーに取り付けて反転（回転）させるだけで、簡単にコネクタ端子台を手前に表出した状態で固定することができる。
【０００５】
しかしながら、中継基板を前枠の後面側に取り付ける場合には、前枠が内枠に対して開閉されるため、前枠側の電子部品からの該中継基板近傍の配線の配置なども考慮しなければならず、また、その中継基板における配線接続（コネクタ接続）の組み付け性、その接続を保護する安全性を確保することができるカバー部材が望まれている。
【０００６】
本発明の課題は、上記実情に鑑みてなされたものであり、前枠の後面側に取り付けられる中継基板に対応して組み付けられるカバー部材において、中継基板近傍の配線を効率よく配置するとともに、配線接続の組み付け性及びその接続の安全性を確保することができるカバー部材を備えた遊技機を提供することにある。
【課題を解決するための手段】
【０００７】
上記課題を解決するために、本発明の遊技機は、
遊技盤が装着される内枠の前面側に前枠がヒンジ部を介して開閉可能に設けられ、その前枠の後面側に該前枠の電気部品の配線接続を中継する中継基板が配置された遊技機において、
前枠の後面側には、中継基板に隣接して配置され電気部品の配線を該後面に沿って配置可能な配線通し部に、中継基板に対峙して開口する配線開口部を形成した第１の配線カバーと、中継基板を覆うように配置され第１の配線カバーに保持されて回動可能な第２の配線カバーとが設けられ、
第２の配線カバーは、中継基板に対して前枠の電子部品からの配線接続領域を覆うとともに、貫通又は切欠形成された露出部によって内枠側からの配線接続領域を露出して当該中継基板を覆う位置で固定されていることを特徴とする。
【発明の効果】
【０００８】
上記本発明の遊技機によれば、前枠の後面側に配置される中継基板に対して、第２の配線カバーが第１の配線カバーに保持された状態で、中継基板及びその近傍（隣接）の後面を覆うように配置されている。そして、中継基板に隣接して配置される第１の配線カバーには、前枠の後面に沿って配線を配置する配線通し部が中継基板に対峙して開口する配線開口部を含み形成されている。従って、前枠の電子部品の配線を中継基板の近傍では第１の配線カバーの配線通し部を介して効率よく配置することができ、配線開口部が中継基板に対峙して設けられ、第２の配線カバーが回動可能に設けられているので、配線接続の組み付けを良好に行うことができる。ひいては、配線接続を行った後に中継基板を覆うようにすれば、その配線接続の安全性を確保することができる。なお、組み付け後に所定の検査などが必要となった場合でも、第２の配線カバーを単独で回動して中継基板を確認することができる。
【０００９】
ここで、第２の配線カバーが第１の配線カバーに保持される形態としては、後述する軸支形態の他に、第２の配線カバー側に鍔状の係止片を形成し、第１の配線カバー側にその係止片が差し込まれる係止孔を形成することで、係止片を支点として第２の配線カバーが回動可能となるように保持される形態であってもよい。
【００１０】
また、このような遊技機において、第２の配線カバーは、第１の配線カバーの配線開口部と接続する配線開口部を備え、その配線開口部が形成された端部で第１の配線カバーに軸支されていてもよい。このようにすれば、第２の配線カバーの軸支側に配線開口部が形成されているので、第２の配線カバーの回動動作に影響を与えることなく配線を配置することができ、また、反対に配線に対しても余分な負荷や挟み込みを与えず良好に配置することができる。
【００１１】
また、このような遊技機において、中継基板は、電気部品からの配線接続領域が第２の配線カバーの軸支側に配置される一方、内枠側からの配線接続領域が第２の配線カバーの開放側に配置されていてもよい。このようにすれば、効率よく中継基板に配線接続を行うことが可能となり、より一層に第２の配線カバーの回動動作に影響を与えることなく配線を配置することができ、配線に対しても余分な負荷や挟み込みを与えず良好に配置することができる。
【００１２】
また、このような遊技機において、中継基板は、前枠の後面に窪んで形成された基板収容部内に配置され、
第２の配線カバーは、露出部が基板収容部内に臨む膨出部の前面側に形成されるとともに、その膨出部が基板支持部として形成されていてもよい。このようにすれば、中継基板を安定して配置固定することが可能となり、例えば、内枠側の配線接続又は抜脱などの作業を行い易くすることができる。
【図面の簡単な説明】
【００１３】
【図１】本発明の実施形態に係る遊技機の一例を示す正面図である。
【図２】図１の遊技機の前枠を開いた状態の斜視図である。
【図３】図２の要部部分を拡大した図である。
【図４】前枠から配線カバーを分解した斜視図である。
【図５】図３の要部部分の前枠を後面側から見た図（配線省略）である。
【図６】図３に対応し、第２の配線カバーを省略した図（一部配線省略）である。
【図７】図３に対応し、第２の配線カバーを回動した状態の図（一部配線省略）である。
【発明を実施するための形態】
【００１４】
以下、本発明における実施形態について図面を参照しつつ説明する。
【実施例】
【００１５】
先ずパチンコ機１の概略構成について説明する。図１及び図２に示すように、パチンコ機１は、外形をなす額縁状の外枠２に対して上下ヒンジ部２ａ，２ｂを介して内枠３が開閉可能に取り付けられ、該内枠３の前面側に上下ヒンジ部２ａ，２ｂを介して前枠４が開閉可能に取り付けられている。
【００１６】
内枠３の前面側には、遊技盤５が組み付けられている。遊技盤５には、ガイドレール６によって全体として略円形の遊技領域５ａが形成されており、この遊技領域５ａの中央には、液晶表示部７が搭載され、その液晶表示部７の下方（遊技領域５ａの中央下部）に大入賞口（アタッカー）を有するアタッカー８が配置されている。また、液晶表示部７とアタッカー８との間には、始動入賞口を有する電動チューリップ９が配置されている。また、内枠３の前面側には、遊技盤５の下方に配置され、遊技領域５ａに向けて遊技球を発射する球発射装置１０が組み付けられている。
【００１７】
前枠４には、遊技盤５の遊技領域５ａを視認するための窓部４ａが形成され、その窓部４ａにガラスなどの透明板部材１１が配置されている。前枠４の前面側には、貸球や賞球等の遊技球を一時的に貯留し、該遊技球を球発射装置１０へ誘導する球受け皿１２が窓部４ａの下方に設けられている。球受け皿１２の右側には、球発射装置１０によって遊技領域５ａへ発射される遊技球の発射力を調節するための発射ハンドル１３が設けられている。なお、発射ハンドル１３には、電気部品として可変抵抗器やタッチセンサなどが搭載されている。
【００１８】
また、前枠４には、装飾や演出のためのランプ１４やスピーカー１５が設けられ、球受け皿１２の上面には、遊技者が操作する演出用操作部１６や球貸返却用操作部１７などが設けられ、それらに電気部品が搭載されている。これら電気部品は、内枠３の後面側（背面側）に設けられる制御基板（図示せず）に配線接続されるので、前枠４には、それら電気部品の配線接続を中継する中継基板２０が配置されている（図４，５参照）。具体的には、前枠４の後面４ｂ側において、ヒンジ部２ａ，２ｂが配置される軸支側端部の近傍下部に配置されている。なお、電気部品の配線は、特に図示しないが所定の配線保持手段などを介して前枠４の内部や後面４ｂに沿って配置されて中継基板２０へと接続される。電気部品の配線は、中継基板２０を介さず直接内枠３側の制御基板に接続するものがあってもよい。
【００１９】
ここで、本明細書において、パチンコ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００２０】
続いて、図３ないし図５に示すように、本実施形態に係るパチンコ機１の前枠４の後面４ｂ側には、前枠４側の電子部品からの中継基板２０近傍の配線の配置を考慮し、かつ、その中継基板２０における配線接続（コネクタ接続）の組み付け性、その接続を保護する安全性を確保するために、中継基板２０に隣接して配置される第１の配線カバー３０と、中継基板２０を覆うように配置され第１の配線カバー３０に保持（例えば、軸支）されて回動可能な第２の配線カバー４０とが設けられている。以下、この第１及び第２の配線カバー３０，４０について詳細に説明する。
【００２１】
第１の配線カバー３０は、中継基板２０に隣接し前枠４の軸支側端部に沿って配置されている。第１の配線カバー３０は、電気部品の配線を後面４ａに沿って配置可能な配線通し部３１と、前枠４の後面４ｂに対して安定して固定するための取り付け支持部３２と、第２の配線カバー４０を軸支する軸支部３３とを備えている。配線通し部３１は、前枠４の後面４ｂに対向し長手形状をなす対向壁３４と、その対向壁３４の両側から後面４ｂに向けて立ち上がる側壁３５，３６とによって断面がコ字形状となるように形成されている。すなわち、配線通し部３１は、第１の配線カバー３０を後面４ｂに固定することにより、後面４ｂを含み内部に配線を通すことが可能な中空形状が形成される。また、配線通し部３１には、中継基板２０に対峙して開口する配線開口部３７が側壁３５を切り欠いて形成されている。なお、第１の配線カバー３０は、高分子材料によって形成することができ、配線通し部３１及び取り付け支持部３２の所定位置に形成された貫通孔Ｈにビスなどの締結部材Ｖを介して前枠４の後面４ｂに固定されている。
【００２２】
第２の配線カバー４０は、中継基板２０に対して前枠４の電子部品からの配線接続領域を覆う被覆部４１と、内枠３側からの配線接続領域を露出する貫通形成された露出部４２と、前枠４の後面４ｂに対して安定して固定するための取り付け支持部４３と、第１の配線カバー３０の軸支部３３によって軸支される軸部４４とを備えている。そして、第２の配線カバー４０は、高分子材料によって形成することができ、中継基板２０を覆う位置で、取り付け支持部４３の所定位置に形成された貫通孔Ｈにビスなどの締結部材Ｖを介して前枠４の後面４ｂに固定されている。なお、第２の配線カバー４０は、軸支部３３（回動軸）が前枠４の上下ヒンジ部２ａ，２ｂ（回動軸）側で保持されており、前枠４が開放された状態において第２の配線カバーが開放した場合にも、中継基板２０へのアクセスの障壁となることなく、組み付けや検査、メンテナンスなどの作業性を向上させている。また、露出部４２は、中継基板２０における内枠３側からの配線接続領域の位置関係で、縁部から切欠状に形成してもよい。
【００２３】
また、第２の配線カバー４０は、第１の配線カバー３０の配線開口部３７と接続する配線開口部４５（図７参照）を備え、その配線開口部４５が形成された端部に軸部４４が形成され、第１の配線カバー３０の軸支部３３によって軸支されている。第２の配線カバー４０は、前枠４の後面４ｂ側に向かって膨出する膨出部４６が形成されており、この膨出部４６の前面側に露出部４２が形成されている。
【００２４】
ここで、前枠４の後面４ｂには、中継基板２０を収容する基板収容部４ｃが窪んで形成され、中継基板２０がその基板収容部４ｃ内の奥まった位置に配置されている。すなわち、中継基板２０に実装される前枠４の電子部品からの配線接続領域としての前枠側端子台２１及び内枠３側からの配線接続領域としての内枠側端子台２２が後面４ｂから突出形成しないように配置されている。
【００２５】
従って、第２の配線カバー４０は、基板収容部４ｃ内に臨む膨出部４６が内枠側端子台２２に干渉しないように露出部４２を形成するとともに、その露出部４２を形成する膨出部４６の前端部（前面）が中継基板２０に近接又は当接する基板支持部４６ａとして形成されている。また、中継基板２０における前枠側端子台２１と内枠側端子台２２との間に膨出部４６の側壁が配置されるので、それら端子台２１，２２に接続される各配線を区画することができ、配線の絡まりを抑制し、すっきりとした配置にすることができる。
【００２６】
また、第２の配線カバー４０は、軸部４４の反対側端部（開放側）に前枠４の後面４ｂに形成された係止部４ｄに係止される係止爪４８が設けられている。これにより、第２の配線カバー４０を係止爪４８によって仮固定できるので、配線の挟み込みなどを抑制した状態で締結部材Ｖでの固定が行い易くなる。
【００２７】
また、中継基板２０は、電気部品からの配線接続領域を形成する前枠側端子台２１が第２の配線カバー４０の軸支側に配置される一方、内枠３側からの配線接続領域を形成する内枠側端子台２２が第２の配線カバー４０の開放側に配置されている。そして、第２の配線カバー４０は、被覆部４１の後面側に配線保持部４９が形成されおり、内枠３側からの配線を保持して効率よく配線接続を行うことができるようになっている。従って、配線保持部４９が、第２の配線カバー４０の軸支側に形成され、露出部４２が開放側に形成されていることから、ひいては、上述のように、配線保持部４９が前枠４の軸支側（上下ヒンジ部２ａ，２ｂ側）に形成され、露出部４２が開放側に形成されていることから、内枠３側からの配線接続（コネクタ接続）を中継基板２０から抜き取ることで、内枠３側からの配線を配線保持部４９に保持させたまま第２の配線カバー４０を開放することができる。これにより、その配線によって作業が阻害されず、作業性を向上させることができる。
【００２８】
次に、第１及び第２配線カバー３０，４０の前枠４への組み付けの一例を図３，図６及び図７を参照して説明する。まず、図６に示すように、前枠４の所定の電子部品からの配線Ｌ２を第１の配線カバー３０の配線通し部３１に配置するとともに、その配線Ｌ２を配線開口部３７から引き出して、第１の配線カバー３０を前枠４の後面４ｂに締結部材Ｖによって固定する。そして、配線開口部３７から引き出した配線Ｌ２の先端部分を、中継基板２０の前枠側端子台２１に接続する。
【００２９】
続いて、図７に示すように、第２の配線カバー４０の軸部４４を第１の配線カバー３０の軸支部３３によって回動可能に固定する。このとき、配線Ｌ２を第２の配線カバー４０の配線開口部４５に配置して、配線が挟み込まないように気をつける。そして、第２の配線カバー４０を中継基板２０を覆う位置（基板収容部を閉塞する位置）に回動させて係止爪４８で仮固定した後、締結部材Ｖによって固定する。その後、図３に示すように、第２の配線カバー４０の開口部から露出（突出）した内枠側端子台２２に内枠３側からの配線Ｌ１を接続し、組み付け作業が終了する。
【００３０】
なお、検査などによって前枠４側の電子部品の配線接続を確認する場合には、第２の配線カバー４０の締結部材Ｖによる固定を解除して、第１の配線カバー３０によって軸支された第２の配線カバー４０を開放すればよく、検査の作業もスムーズに行うことが可能である。また、配線通し部３１（配線開口部３７）によって中継基板２０の近傍で配線Ｌ２の位置規制（保持）がなされているので、配線Ｌ２が安定して配置され、作業の際に噛み込みなどによる破損などの発生を抑制している。
【００３１】
以上のように、本実施形態の遊技機１によれば、前枠４の電子部品の配線Ｌ１を中継基板２０の近傍では第１の配線カバー３０の配線通し部３１を介して効率よく配置することができ、配線開口部３７が中継基板２０に対峙して設けられ、第２の配線カバー４０が回動可能に設けられているので、配線接続の組み付けを良好に行うことができる。ひいては、配線接続を行った後に中継基板２０を覆うようにすれば、その配線接続の安全性を確保することができる。なお、組み付け後に所定の検査などが必要となった場合でも、第２の配線カバー４０を単独で回動して中継基板２０を確認することができる。
【００３２】
本発明では遊技機の一例としてパチンコ機について説明したが、他に例えばアレンジボール遊技機や、雀球遊技機、回胴式遊技機等の遊技機に適用することができる。
【符号の説明】
【００３３】
１  パチンコ機（遊技機）
２  外枠
３  内枠
４  前枠
４ａ  窓部
４ｂ  後面
４ｃ  基板収容部
５    遊技盤
５ａ  遊技領域
１３  発射ハンドル
１４  ランプ
１５  スピーカー
１６  演出用操作部
１７  球貸返却用操作部
２０  中継基板
３０  第１の配線カバー
３１  配線通し部
３２  取り付け支持部
３３  軸支部
３７  配線開口部
４０  第２の配線カバー
４１  被覆部
４２  露出部
４３  取り付け支持部
４４  軸部
４５  配線開口部
４６  膨出部
４６ａ  基板支持部
４７  配線開口部
４８  係止爪
【図１】
0005408657.tif 000002
【図２】
0005408657.tif 000003
【図３】
0005408657.tif 000004
【図４】
0005408657.tif 000005
【図５】
0005408657.tif 000006
【図６】
0005408657.tif 000007
【図７】
0005408657.tif 000008